(57)【要約】【課題】本発明は、ユニット状に組み立てられたファンユニットを収容するファンケースを含むファン組立体等に関し、ファンユニットの保守交換を容易にする。【解決手段】ファンユニット１００を収容するファンケース２００と、ファンケース２００に着脱自在に固定され、ファンユニット１００を構成するプリント板の、挿入方向前方に突出したカードエッジ１３１が、ファンユニット１００の、ファンケース２００への収納動作により嵌入されるコネクタ３００とを備えた。【選択図】        図１６
2006207592.tif 000002
【特許請求の範囲】
【請求項１】
基体と前記基体に対し回転自在な羽根とを有するファン、前記ファンの羽根の回転を制御する制御回路が搭載されるとともに一端にコネクタに嵌入されるカードエッジを有するプリント板、および、前記ファンを内部に収容するとともに、前記プリント板のカードエッジを、内部に収容された前記ファンにより風を送る送風方向に交わる所定の挿入方向前方に向かって外部に突出した状態に前記プリント板を内部に収容する、前記送風方向両壁に通風用の開口を有するファン収容ボックスを有するファンユニットを収容するファンケースと、
前記ファンケースに着脱自在に固定され、前記ファンユニットを構成するプリント板の、前記挿入方向前方に突出したカードエッジが、前記ファンユニットの、前記ファンケースへの収納動作により嵌入されるコネクタとを備えたことを特徴とするファン組立体。
【請求項２】
前記コネクタが、前記プリント板のカードエッジが嵌入される開口を有する本体部と、前記本体部から両側に延びる２本のアームであって前記２本のアームのうちの一方の第１のアームに係合突起が形成された第１および第２のアームとを有し、
前記ファンケースが、前記コネクタの、前記第２のアームが延びる方向へのスライド操作より前記第２のアームが挿入されて保持されるアーム係合孔を有するとともに、前記第１のアームの前記係合突起が挿入される、前記スライド操作により前記第２のアームが前記アーム係合孔に挿入されたときに前記係合突起を係止する係止突起が内側に突出してなるスリットを有するものであることを特徴とする請求項１記載のファン組立体。
【請求項３】
前記ファンユニットが、前記挿入方向後方に延びる片持ち梁形状であって、前記後方に延びる途中部分に所定の係合部が形成された操作レバーを有し、
前記ファンケースが、内部に収容された前記ファンユニットの前記係合部に干渉して前記ファンユニットの脱落を防止するとともに、前記操作レバーの操作により前記係合部への干渉を解除して前記ファンユニットの取り外しを許容する抜け防止係合部を有するものであることを特徴とする請求項１記載のファン組立体。
【請求項４】
前記ファンケースが、前記ファンユニットを前記送風方向に重なった状態に複数台収容するものであることを特徴とする請求項１記載のファン組立体。
【請求項５】
前記ファンユニットが、前記送風方向と前記挿入方向とに広がる側面外壁に、前記側面における前記挿入方向に延びる２辺のうちの一辺からもう１つの辺に向かって前記側面内側に延びる第１の溝部分と、前記第１の溝部分先端から前記挿入方向後方に延びる第２の溝部分とからなるガイド溝を有し、
前記ファンケースが、内壁に前記ガイド溝に嵌入するガイド突起を有し、
前記ファンユニットは、前記ファンケースに収容されるにあたり、前記ガイド突起が前記ガイド溝に嵌入した状態で、前記第１の溝部分の延びる方向にスライドされた後前記第２の溝部分の延びる挿入方向にスライドされるものであることを特徴とする請求項１記載のファン組立体。
【請求項６】
前記ファンユニットが、前記送風方向と前記挿入方向とに広がる側面外壁に、前記側面における前記挿入方向に延びる２辺のうちの一辺からもう１つの辺に向かって前記側面内側に延びる第１の溝部分と、前記第１の溝部分先端から前記挿入方向後方に延びる第２の溝部分とからなるガイド溝を有し、
前記ファンケースは、前記ファンユニットを前記挿入方向に複数収容するものであるとともに、前記ファンケース自体が所定の装置内に、前記挿入方向に引き出し自在に挿入されるものであって、
前記ファンケースは、前記挿入方向後方における前記ファンユニットが収容される第１の部分には、前記挿入方向にスライドされてきた前記ファンユニットを収容し、前記挿入方向前方における前記ファンユニットが収容される第２の部分には、前記第２の部分の内壁に前記ガイド溝に嵌入するガイド突起を有し、前記ガイド突起が前記ガイド溝に嵌入した状態で、前記第１の溝部分の延びる方向にスライドされた後前記第２の溝部分の延びる挿入方向にスライドされてきた前記ファンユニットを収容するものであることを特徴とする請求項１記載のファン組立体。
【請求項７】
請求項１乃至請求項６のいずれか１項に記載のファン組立体を備えることを特徴とする装置。
【発明の詳細な説明】
【技術分野】
【０００１】
本発明は、ユニット状に組み立てられたファンユニットを収容するファンケースを含むファン組立体、およびこの組立体を備える装置に関する。
【背景技術】
【０００２】
従来より様々な産業機器に、例えば内部の発熱により暖められた空気を機器外部に放出することなどを目的として、ファンが取り付けられている。近年では、２４時間稼動し続ける産業機器が増え、保守交換を行なうにあたっても電源を切らずに稼動させた状態のまま行なうことが要望されており、ファンについても例外ではなく、電源が投入されたままの状態の機器のファンを交換する必要が生じている。また、連続稼動によりファンの寿命も短くなり、その結果交換する機会も増え、交換時の作業性や安全性を向上させる必要も生じている。
【０００３】
図３７，図３８，図３９は、従来のファンユニットの一例を示す、それぞれ、斜視図、別な方向から見た斜視図、及び分解斜視図である。
【０００４】
このファンユニット９００は、ファン９１０、ファンボックス９２０、プリント板９３０、ＬＥＤ９４０、および複数のビス９５０から構成されている。ファン９１０は、基体９１１とその基体に対し回転自在な羽根９１２とを有し、基体９１１の４隅には取付孔９１３が設けられている。
【０００５】
また、ファンボックス９２０は、板金加工により形成されており、底面の通風用の開口には指が中に入るのを阻止するフィンガガード９２１が形成されている。また、そのファンボックス９２０には、片持ち梁形状の操作レバー９２２が備えられている。この操作レバー９２２には、このファンユニット９００を図示しないファンケースに収納したときの、ファンユニット９００の抜け防止を図るとともにその操作レバー９２２の操作によりそのファンケースからファンユニット９００を取り出すことができるように構成されたものである。
【０００６】
また、プリント板９３０には、ファン９１０の羽根９１２の回転の制御やＬＥＤ９４０の点灯制御を担う制御回路（図示せず）が搭載されており、さらに、ＬＥＤ９４０と接続されるコネクタ９３１と、ファン９１０の、図示しないモータと接続されるコネクタ９３２が固定されている。これらのコネクタ９３１，９３２には、図示しない配線を介して、それぞれＬＥＤ９４０およびファン９１０（ファンのモータ）が接続される。さらにこのプリント９３０には、図３７に示すように、このファンユニット９００を組み立てたときそのファンユニットの前方に突出するガードエッジ９３３が形成されている。このカードエッジ９３３は、このプリント板９３０と結合されるコネクタ（図示せず）に嵌入されそのコネクタを介して電力や信号がプリント板９３０に伝達される。
【０００７】
このファンユニット９００の組立てには、複数種類の何本ものビス９５０が使用されている。
【発明の開示】
【発明が解決しようとする課題】
【０００８】
従来のファンユニットは、図３７〜図３９に示すように、板金加工された複数なファンボックス９２０を備え、また、多数本のビスが使用されて組み立てられており、組み立ての作業性が悪くコスト高であるという問題がある。
【０００９】
また、このファンユニット９００を図示しないファンケースに収納しプリント板９２０のカードエッジ９３３にコネクタを接続する工程における作業性も悪く保守の点でも問題がある。
【００１０】
本発明は、上記事情に鑑み、ファンユニットの保守交換が容易なファン組立体、並びに、この組立体を備える装置を提供することを目的とする。
【課題を解決するための手段】
【００１１】
上記目的を達成する本発明のファン組立体は、
基体とその基体に対し回転自在な羽根とを有するファン、そのファンの羽根の回転を制御する制御回路が搭載されるとともに一端にコネクタに嵌入されるカードエッジを有するプリント板、および、ファンを内部に収容するとともに、プリント板のカードエッジを、内部に収容されたファンにより風を送る送風方向に交わる所定の挿入方向前方に向かって外部に突出した状態にそのプリント板を内部に収容する、送風方向両壁に通風用の開口を有するファン収容ボックスを有するファンユニットを収容するファンケースと、
ファンケースに着脱自在に固定され、ファンユニットを構成するプリント板の、挿入方向前方に突出したカードエッジが、ファンユニットの、ファンケースへの収納動作により嵌入されるコネクタとを備えたことを特徴とする。
【００１２】
本発明のファン組立体は、ファンユニットが収容されるファンケースと、ファンユニットのプリント板のカードエッジが嵌入されるコネクタとを備えたものであるが、コネクタがファンケースに着脱自在に固定されるものであって、ファンユニットをファンケースに収納する動作によりそのファンケースのプリント板のカードエッジがそのコネクタに嵌入される。したがって、ファンユニットをファンケースに収納させるという動作だけでコネクタと結合でき、ファンユニットの取扱性、交換性に優れたファン組立体が構成される。
【００１３】
ここで、上記本発明のファン組立体において、コネクタが、プリント板のカードエッジが嵌入される開口を有する本体部と、その本体部から両側に延びる２本のアームであってそれら２本のアームのうちの一方の第１のアームに係合突起が形成された第１および第２のアームとを有し、
ファンケースが、コネクタの、第２のアームが延びる方向へのスライド操作よりその第２のアームが挿入されて保持されるアーム係合孔を有するとともに、上記第１のアームの係合突起が挿入される、上記スライド操作により第２のアームがアーム係合孔に挿入されたときにその係合突起を係止する係止突起が内側に突出してなるスリットを有するものであることが好ましい。
【００１４】
このような構成により、コネクタを、ファンケースに、ビス等の他の部品や取付工具を必要とせずに、簡単にかつ確実に着脱することができる。
【００１５】
また、上記本発明のファン組立体において、ファンユニットが、挿入方向後方に延びる片持ち梁形状であって、その後方に延びる途中部分に所定の係合部が形成された操作レバーを有し、ファンケースが、内部に収容されたファンユニットの係合部に干渉してファンユニットの脱落を防止するとともに、操作レバーの操作により係合部への干渉を解除してファンユニットの抜き取りを許容する抜け防止係合部を有するものであることが好ましい。
【００１６】
この構成により、ファンユニットをファンケースに装着したときの脱落防止が図られつつも、ファンユニットをファンケースに容易に着脱することができる。
【００１７】
また、上記本発明のファン組立体において、ファンケースが、ファンユニットを送風方向に重なった状態に複数台収容するものであることも好ましい形態である。
【００１８】
こうすることにより複数台のファンユニットのうちの一部のファンユニットが故障しても送風を続けることができる。
【００１９】
さらに、上記本発明のファン組立体において、ファンユニットが、送風方向と挿入方向とに広がる側面外壁に、その側面における挿入方向に延びる２辺のうちの一辺からもう１つの辺に向かってその側面内側に延びる第１の溝部分と、その第１の溝部分先端から挿入方向後方に延びる第２の溝部分とからなるガイド溝を有し、
ファンケースが、内壁にガイド溝に嵌入するガイド突起を有し、
ファンユニットは、ファンケースに収容されるにあたり、ガイド突起がガイド溝に嵌入した状態で、上記第１の溝部分の延びる方向にスライドされた後上記第２の溝部分の延びる挿入方向にスライドされるものであることも好ましい形態である。
【００２０】
こうすることにより狭いスペースしかない状況下においてもファンユニットをファンケースに容易に着脱することができる。
【００２１】
さらに、本発明のファン組立体において、ファンユニットが、送風方向と挿入方向とに広がる側面外壁に、その側面における挿入方向に延びる２辺のうちの一辺からもう１つの辺に向かってその側面内側に延びる第１の溝部分と、その第１の溝部分先端から挿入方向後方に延びる第２の溝部分とからなるガイド溝を有し、
ファンケースは、ファンユニットを挿入方向に複数収容するものであるとともに、そのファンケース自体が所定の装置内に、挿入方向に引出し自在に挿入されるものであって、
ファンケースは、挿入方向後方におけるファンユニットが収容される第１の部分には、挿入方向にスライドされてきたファンユニットを収容し、挿入方向前方における、ファンユニットが収容される第２の部分には、その第２の部分の内壁にガイド溝に嵌入するガイド突起を有し、そのガイド突起がそのガイド溝に嵌入した状態で、第１の溝部分の延びる方向にスライドされた後第２の溝部分の延びる挿入方向にスライドされてきたファンユニットを収容するものであることも好ましい形態である。
【００２２】
複数のファンユニットを並べて広い範囲に風を送る場合において、上記のようにファンユニットを挿入方向に複数並べ、ファンケース自体をその挿入方向に装置内に挿入するように構成することがある。その場合、上述した、ガイド突起をガイド溝とを嵌入させてスライドする構成を、挿入方向前方に配置される部分に適用すると、そこに配置されるファンユニットの着脱が容易となる。
【００２３】
また、本発明の装置は、上述した各種形態のうちのいずれか１つのファン組立体を備えることを特徴とする。
【００２４】
本発明の装置は、上述のファン組立体を備えるものであるため、ファンの保守、交換が容易である。
【発明の効果】
【００２５】
以上、説明したように、本発明によれば、組立てや保守の容易なファン組立体、ファンの保守交換が容易な装置を実現することができる。
【発明を実施するための最良の形態】
【００２６】
以下、本発明の実施形態について説明する。
【００２７】
図１は、本発明の一実施形態を構成するためのファンユニットの分解斜視図、図２は、そのファンユニットの組立図である。
【００２８】
このファンユニット１００は、ファン収容ボックス本体１１０と、プリント板１３０と、ファン１５０と、ファン収容ボックス蓋体１７０とから構成される。
【００２９】
ファン収容ボックス本体１１０には、プリント板１３０のカードエッジ１３１が、ファン収容ボックス本体１１０の開口１１１から所定の挿入方向Ｓの前方に突出するように収納され、さらにファン１５０が収納され、それらプリント板１３０とファン１５０を内部に収容した状態でファン収容ボックス蓋体１７０がファン収容ボックス本体１１０に固定される。ファン収容ボックス本体１１０にファン収容ボックス蓋体７０を固定するには、ファン収容ボックス蓋体１７０に形成された係合突起１７１，１７１（図１参照）がファン収容ボックス本体１１０に形成され係合孔１１２，１１２に嵌め込まれ、そこを蝶番としてファン収容ボックス蓋体１７０をファン収容ボックス本体１１０に向けて扉を閉めるように回動させ、ファン収容ボックス蓋体１７０の係合突起１７２をファン収容ボックス本体１１０の係合凹部１１３に嵌入させるとともに、ファン収容ボックス蓋体１７０の係合爪１７３をファン収容ボックス本体１１０の係合孔１１４に嵌入させる。こうすることにより、ファン収容ボックス蓋体１７０は、ファン収容ボックス本体１１０の、プリント板１３０やファン１５０を収容するための開口１１５を塞いだ状態にファン収容ボックス本体１１０に固定され、ファン収容ボックス本体１１０とファン収容ボックス蓋体１７０とによりファン収容ボックスが形成される。また、プリント板１３０およびファン１５０は、後述するようにしてファン収容ボックス内に固定される。これらファン収容ボックス本体１１０へのプリント板１３０、ファン１５０の収納、およびファン収容ボックス蓋体１７０の取付けには工具は一切不要であり、簡単に組み立てることができる。
【００３０】
ちなみに、ファン収容ボックス本体１１０に固定されたファン収容ボックス蓋体１７０をファン収容ボックス本体１１０から取り外す場合は、係合孔１１４に嵌入している係合爪１４３を先の細い固い工具（例えばマイナスドライバ）の先端である程度の力を入れて押すとその係合爪１４３が係合孔１１４から外れ、そのファン収容ボックス蓋体１７０を、係合孔１１２の位置を蝶番として開くことができ、ファン収容ボックス本体１１０から取り外すことができる。但し、通常の組立て、保守交換等の際にファンユニット１００を分解する必要はなく、交換の際はファンユニット１００を単位として交換される。
【００３１】
ここで、ファン収容ボックス本体１１０およびファン収容ボックス蓋体１７０は、いずれも樹脂製のモールド部品である。
【００３２】
ファン１５０は、基体１５１と、その基体１５０に取り囲まれるようにして中央に配置された、回転自在な羽根１５２と、その羽根を回転させるための、基体に固定された図示しないモータとを備えており、基体１５０には、その４隅に取付孔１５３が形成されている。この取付孔１５３は、本発明にいう取付部材の一例に相当する。このファン１５０の基体１５１および羽根１５２も樹脂製のモールド品である。
【００３３】
図３、図４は、ファン収容ボックス本体とファン収容ボックス蓋体を組み立てたファン収容ボックスの、それぞれ別の角度から見た斜視図、図５は、そのファン収容ボックスの正面図（Ａ）、平面図（Ｂ）、左側面図（Ｃ）、右側面図（Ｄ）、および底面図（Ｅ）である。
【００３４】
また、図６は、ファン収容ボックス本体の斜視図、図７は、そのファン収容ボックス本体の４面図（図７（Ａ）〜（Ｄ）は、それぞれ、正面図、平面図、左側面図、右側面図）である。さらに図８は、図７（Ｃ）に示す円Ｒ１の内部の拡大図、図９は、図７（Ｂ）に示す矢印Ａ−Ａに沿って断面したときの、図８に相当する部分の拡大図である。
【００３５】
これらの図のうちいくつかの図に付した矢印Ｓは、図２に示した矢印Ｓと同じ挿入方向を示している。
【００３６】
ここでは、図３〜図９を参照して、ファン収容ボックス本体１１０について詳述する。
【００３７】
このファン収容ボックス本体１１０は、プリント板１２０やファン１３０をファン収容ボックス本体１１０内に収納するための開口１１５（図２参照）のほか、底面にも通風用の開口を有しその通風用の開口にはフィンガガード１１６が形成されている。このフィンガガード１１６は、図示のように細径のものであり風の通過に対する抵抗が小さく騒音が低いレベルに抑えられている。また、このファン収容ボックス本体１１０の底面内壁の、フィンガガード１１６の周囲には、図７，図８にその拡大図を示す形状の４つの係止突起１１７が形成されている。これらの係止突起１１７は、本発明にいう係止部材の一例である。これら４つの係止突起１１７は、このファン収容ボックス本体１１０内にファン１５０が収容されたとき、そのファン１５０の基体１５１に形成された４つの取付孔１５３（図１，図２参照）に嵌入し、ファン１５０をファン収容ボックス本体１１０内に固定する役割りを担っている。
【００３８】
また、そのファン収容ボックス本体１１０の底面内壁の、プリント板１３０が配置される位置に、スリット状の保持部１１８が形成されており、このファン収容ボックス本体１１０内にプリント板１３０が収納されると、そのプリント板１３０の、図１，図２に示す１つの辺１３２ａがそのスリット状の保持部１１８に嵌入し、そのプリント板１３０のカードエッジ１３１が開口１１１から矢印Ｓで示す挿入方向に突出した状態で保持される。
【００３９】
さらにそのファン収容ボックス本体１１０の外壁には、挿入方向Ｓに対する後方に延びる片持ち梁形状の操作レバー１１９が形成されており、その方向に延びる途中部分に、このファンユニット１００がこのファンユニット自体を収容する後述するファンケースに収容されたときに、このファンユニット１００の、そのファンケースからの抜けを防止するための係合突起１２０が形成されている。詳細は後述する。
【００４０】
また、このファン収容ボックス本体１１０には、このファンユニット１００をファンケースに収容させたりそのファンケースから抜き出したりするときの便宜のための把っ手１２１が備えられている。
【００４１】
さらに、ファン収容ボックス本体１１０には、図５（Ｂ），図７（Ｂ）の平面図および図５（Ｅ）の底面図に示されているように、ＡＩＲの文字と矢印が表面の凹凸により形成されている。この矢印の方向は、このファン収容ボックスに収容されるファンによる送風方向を表わしている。
【００４２】
また、ファン収容ボックス本体１１０には、それらの平面図（図５（Ｂ），図７（Ｂ））および底面図（図５（Ｅ））に示されているように、Ｌ字形状のガイド溝１２２，１２３が形成されている。これらのＬ字形状のガイド溝１２２，１２３は、ファン収容ボックス本体１１０の、上述の送風方向ＡＩＲと挿入方向Ｓとの双方の方向に広がる側面１２４，１２５の外壁に形成されており、その側面１２４，１２５の矢印Ｓで示される挿入方向に延びる２辺１２４ａ，１２４ｂ；１２５ａ，１２５ｂのうちの一辺１２４ａ，１２５ａからもう１つの辺１２４ｂ，１２５ｂに向かってその側面１２４，１２５の内側に延びる第１の溝部分１２２ａ，１２３ａと、その第１の溝部分先端から挿入方向Ｓの後方に向かって延びる第２の溝部分１２２ｂ，１２３ｂとからなる。このガイド溝１２２，１２３の作用についても後述する。
【００４３】
図１０は、ファン収容ボックス蓋体１７０の斜視図、図１１は、そのファン収容ボックス蓋体１７０の４面図（（Ａ）は正面図、（Ｂ）は平面図、（Ｃ）は左側面図、（Ｄ）は右側面図）である。また、図１２は、図１１（Ｄ）の円Ｒ２内の拡大図、図１３は、図１１（Ａ）の円Ｒ３内の拡大図である。ここでは、これら図１０〜図１３と、先に説明した図３〜図５を参照しながらファン収容ボックス蓋体について説明する。
【００４４】
このファン収容ボックス蓋体１７０の中央部には、通風用の開口が形成されており、その開口にはフィンガガード１７４が形成されている。このフィンガガード１７４も，ファン収容ボックス本体１１０に形成されたフィンガガード１１６と同様、細径のものであり風に対する抵抗が小さく、騒音が低く抑えられている。
【００４５】
また、ファン収容ボックス蓋体１７０の内壁には、図１２の拡大図に示す形状の係止突起１７５が形成されている。この係止突起１７５もファン収容ボックス本体１１０の係止突起１１７と同様、本発明にいう係止部材の一例である。この係止突起１７５は、ファン収容ボックス本体１１０の係止突起１１７（図７（Ｃ）参照）と同様、ファン１５０の取付孔１５３（図１，図２参照）に嵌入し、ファン１５０をファン収容ボックス内に固定する役割りを担っている。また、ファン収容ボックス蓋体１７０の内壁には、図１３に拡大図を示すように、プリント板１３０（図１，図２参照）の、ファン収容ボックス本体１１０のスリット状の保持部１１８（図７（Ｃ）参照）に保持される辺１３２ａに対向する辺１３２ｂを保持するフォーク状の保持部１７６が形成されており、このフォーク状の保持部１７６は、ファン収容ボックス本体１１０の保持部１１８と協同して、プリント板１３０をファン収容ボックス内に保持する役割りを担っている。
【００４６】
このように、ファン収容ボックス本体１１０とファン収容ボックス蓋体１７０は、協同して、プリント板１３０及びファン１５０をそのファン収容ボックス内に固定する構造を有する。
【００４７】
また、ファン収容ボックス蓋体１７０は、前述したようにしてファン収容ボックス本体１１０に固定される。
【００４８】
このように、ファンユニット１００は、ビス等を用いずに、かつ工具なしに簡単に組み立てることができる構造を有し、低コスト化が図られている。
【００４９】
また、このファンユニット１００は、ファン収容ボックス本体１１０とファン収容ボックス蓋体１７０とからなるファン収容ボックスの送風方向両壁の送風用の開口双方にフィンガガード１１６，１７４が形成されているため、ファン１５０に指が触れることが防止され、したがってファン１５０が高速で回転している状態でこのファンユニット１００を取り扱っても安全である。
【００５０】
また、このファンユニット１００はファン収容ボックス本体およびファン収容ボックス蓋体１７０が樹脂モールド品であり、軽量であり、また電気的に絶縁性であるため活性状態で取り扱っても電気的な面での安全も保たれる。また樹脂製であることからフィンガガード１１６，１７４を細径に形成することができ、風の通路を広く確保して風の通過に対する抵抗を下げ、騒音を低いレベルに抑えることができる。
【００５１】
図１４，図１５は、本発明のファン組立体の第１実施形態の、それぞれ異なる方向から見た斜視図、図１６は、その第１実施形態の分解斜視図、図１７は、その第１実施形態を構成するファンケースの平面図、図１８は、図１７に示す矢印Ｂ−Ｂに沿う断面図、図１９は、図１８に示す楕円Ｒ４内の拡大図、図２０は、そのファンケースを後方斜めから見た斜視図、図２１は、そのファンケースの背面図である。
【００５２】
このファン組立体は、図１６に示すように、これまで説明してきたファンユニット１００が２台と、それら２台のファンユニット１００を送風方向に重なった状態に収容するファンケース２００と、２台のファンユニット１００のプリント板１３０のカードエッジ１３１それぞれが嵌入する２つのコネクタ３００から構成されている。２つのファンユニット１００はいずれも図１〜図１３を参照してこれまで説明してきたファンユニットであり、ここでの説明は省略する。
【００５３】
ファンケース２００は、２つのコネクタ３００を、後述するようにして固定する機能を有しており、２つのファンユニット１００は、ファンケース２００内に、矢印Ｓに示す挿入方向にスライドされて収納されるが、それらのファンユニット１００の、ファンケース２００への収納動作により、それらのファンユニット１００のプリント板１３０のカードエッジ１３１がファンケース２００に固定されたコネクタ３００に嵌入される。
【００５４】
このファンケース２００には、送風方向両壁に通風用の開口２０１，２０２が形成されており、そのファンケース２００に収納された２台のファンユニット１００は、それら２台のファンユニット１００に収納された２つのファン１５０（図１，図２参照）によりその送風方向に風を送る。
【００５５】
このファン組立体の場合、ファンユニット１００が２台送風方向に重なるように配置されており、したがってそれら２台のファンユニット１００のうち１台が故障しても送風し続けることができ、このファン組立体が組み込まれた機器の内部温度の異常上昇を避けることができる。
【００５６】
２台のファンユニット１００は、挿入方向（矢印Ｓ方向）にスライドされてファンケース２００に収納される際、各ファンユニット１００の操作レバー１１９に形成された係合突起１２０がファンケース２００の抜け防止用係合突起２０３を乗り越えることにより、ファンユニット１００がファンケース２００に収納されるが、ファンケース２００に収納されたファンユニット１００をそのまま抜き取ろうとしてもファンユニット１００の係合突起１２０にファンケースの抜け防止用係合突起２０３が干渉して抜き取ることができない。これにより、ファンユニット１００がファンケース２００から不用意に外れてしまうことの防止が図られている。
【００５７】
ファンケース２００からファンユニット１００を取り外すときは、操作レバー１１９が押され、そうするとその操作レバー１１９がたわみ、その操作レバー１１９の係合突起１２０もその位置を変え、ファンケース２００の抜け防止用係合突起４０３との干渉が解除され、ファンユニット１００をファンケース２００から抜き取ることができる。
【００５８】
また、コネクタ３００は、ファンケース２００に着脱自在に固定されるが、その装着の機構は以下のとおりである。
【００５９】
このコネクタ３００は、図１６に示すように、ファンユニット１００のプリント板１３０のカードエッジ１３１が嵌入される開口３１１を有する本体部３１０と、その本体部３１０から両側に延びる第１のアーム３２０および第２のアーム３３０とから形成されており、第１のアーム３２０には、前方に突出した係合突起３２１が形成されている。
【００６０】
一方、ファンケース２００には、その背面２１０（図２０，２１参照）の壁に、コネクタ３００の本体部３１０の開口部３１１をファンケース２００の内側に晒すための嵌合用開口２０４と、第１のアーム３２０の係合突起３２１が挿入されて案内されるスリット２０５が形成されており、さらにそのファンケース２００の背面２１０の壁に対し横向きに、コネクタ３００の第２のアーム３３０が挿入されるアーム係合孔２０６（図２０参照）が形成されている。さらに、第１のアーム３２０の係合突起３２１を案内するスリット２０５には、そのスリット２０５の内側に突出した係止突起２０７が形成されている。
【００６１】
ここで、コネクタ３００をファンケース２００に装着するには、コネクタ３００の第２のアーム３３０をファンケース２００のアーム係合孔２０６に挿入するとともに、第１のアーム３２０の係合突起３２１をスリット２０５に挿入する。その後、そのコネクタ３００を、その第２のアーム３３０をアーム係合孔２０６にさらに深く挿入する方向にスライドさせる。すると、第１のアーム３２０の係合突起３２１がスリット２０５の内側に突出した係止突起２０７を乗り越え、その第１のアーム３２０の係合突起３２１がスリット２０５の係止突起２０７に係止した状態に、図１９に示す位置に固定される。このコネクタ３２０をファンケース２００から取り外す必要を生じたときは、そのコネクタ３００を、第２のアーム３３０をアーム係合孔２０６から抜き取る方向に、第１のアーム３２０の係合突起３２１がスリット２０５の係止突起２０７を乗り越えるように少し強い力を加えることにより、取り外すことができる。
【００６２】
本実施形態では、上記のように、コネクタ３００もファンケース２００に工具を用いずに着脱自在に、かつ確実に装着できるように構成され、またそのコネクタ３００をファンケース２００に装着した状態でそのファンケース２００にファンユニット１００を収納させると、その収納動作で、ファンユニット１００のプリント板１３０のカードエッジ１３１がコネクタ３００に嵌入されるように構成されている。したがってこのファン組立体を極めて容易に組み立てることができ、また、ファンユニット１００を交換する際も、コネクタ３００に通電されている状態であっても安全に、かつ簡単にその交換を行なうことができる。
【００６３】
図２２，図２３は、本発明のファン組立体の第２実施形態の、それぞれ異なる方向から見た組立斜視図、図２４は、その第２実施形態のファン組立体の分解斜視図、図２５は、その第２実施形態のファン組立体を構成する第２のファンケースを図２４に示す矢印Ｃ方向から見たときの、その第２のファンケースの一部を示す斜視図である。
【００６４】
この第２実施形態のファン組立体は、８個のファンユニット１００と、第１〜第３のファンケース２００Ａ，２００Ｂ，２００Ｃと、８個のファンユニット１００のそれぞれに対応した８個のコネクタ３００とから構成されている。
【００６５】
第１のファンケース２００Ａには、その一部に２個のファンユニット１００が収納される。また、第２のファンケース２００Ｂには、４個のファンユニット１００が収納される。この第２のファンケース２００Ｂは、矢印Ｓで示す挿入方向にスライドされてその第２のファンケース自体が第１のファンケース２００Ａに引出し自在に収納させる。また第３のファンケース２００Ｃには２個のファンユニット１００が矢印Ｓ方向に収納される。この第３のファンケース２００Ｃは第１のファンケース２００Ａに支持、固定される。
【００６６】
ここで、第２のファンケース２００には、上下にも２個並べ収納されるとともに、挿入方向（矢印Ｓ方向）に関しファンユニット１００を２個並べて収納されるように構成されている。この第２のファンケース２００Ｂを構成する、ファンユニット１００がそれぞれ１個ずつ収納される４つの区画２１１，２１２、２１３、２１４のうち、挿入方向（矢印Ｓ方向）後方の２つの区画２１３、２１４は、その第２のファンケース２００Ｂに対し挿入方向（矢印Ｓ方向）に挿入されてきたファンユニット１００を受け入れて収納するように構成されているが、挿入方向（矢印Ｓ方向）前方の２つの区画２１１，２１２には、ファンユニット１００は、その第２のファンケース２００Ｂに対し先ず図２４に示す矢印Ｄ方向にスライドされ、その後、挿入方向（矢印Ｓ方向）に挿入される。この収納動作は、以下のようにして実現されている。
【００６７】
図２６は、第２のファンケースの挿入方向前方の２つの区画にファンユニットを収納した状態を示す斜視図、図２７は、それら２つの区画にファンユニットを収納する動作を行なっている途中の状態を示す正面図、図２８は、それら２つの区画にファンユニットが完全に収納された状態を示す正面図である。
【００６８】
第２のファンケース２００Ｂの矢印Ｓ方向前方の２つの区画２１１，２１２の底面には、図２４に示すようにそれぞれ２つのガイド突起２２２が形成されており、それら２つの区画２１１，２１２の上面にも、図２５に示すように、それぞれ１つのガイド突起２２１が形成されている。
【００６９】
一方、ファンユニット１００には、前述した図５（Ａ），（Ｅ）に示すように、Ｌ字形状のガイド溝１２２，１２３が形成されている。そこで、第２のファンケース２００Ｂの矢印Ｓ方向前方の２つの区画２１１，２１２の底面のガイド突起２２２をファンユニット１００のガイド溝１２３の第１の溝部分１２３ａに嵌入されるとともに、それら２つの区画２１１，２１２の上面のガイド突起２２１をファンユニット１００のガイド溝１２２の第２の溝部分１２２ａに嵌入させるようにしてファンユニット１００を図２４に示す矢印Ｄ方向にスライドさせる。図２７は、このときの状態を示した正面図である。
【００７０】
ガイド突起２２１，２２２がＬ字形状のガイド溝１２２，１２３の折れ曲がり点まで達すると、今度はガイド突起２２１，２２２がＬ字形状のガイド溝１２２，１２３の第２の溝部分１２２ｂ，１２３ｂに入り込んで、ファンケース２００に対し挿入方向（矢印Ｓ方向）にスライドされ、第２のファンケース２００Ｂの各区画２１１，２１２に完全に収納される。この収納動作における後半の挿入方向へのスライドにより、ファンユニット１００のプリント板１３０のカードエッジ１３１がコネクタ３００に嵌入し、かつファンユニット１００の操作レバー１１９の係合突起１２０が各区画２１１，２１２の、図示しない抜け防止用係合突起（図１６に示す第１実施形態のファンケース２００の抜け防止用係合突起２０３と同様のもの）を乗り越えた状態となってファンユニット１００の抜けが防止される。
【００７１】
図２９〜図３１は、図２２〜図２５に示すファン組立体が組み込まれた装置の、ファン組立体がその装置内に完全に収納された状態の、それぞれ斜視図、正面図、平面図、および側面図、図３３〜図３６は、その装置からその装置に組み込まれたファン組立体を構成する第２のファンケース２００Ｂが抜き出された状態の、それぞれ斜視図、正面図、平面図、および側面図である。
【００７２】
第２のファンケース２００Ｂは、図３３〜図３６（特に図３４参照）に示される位置まで装置外部に抜き出しが可能であるが、その状態で挿入方向（矢印Ｓ方向）前方に収納された２つのファンユニットは、その後方にさらに別のファンユニットを収納する区画が設けられているため、その第２のファンケース２００Ｂから挿入方向後方に引き抜くことは不可能である。そこでその第２のファンケース２００Ｂの挿入方向後方に収納されたファンユニットの保守、交換の際は、ファンユニットが上述した挿入の際のＬ字形の動きとは逆方向にＬ字形に動かされてその第２のファンケースから取り外される。
【００７３】
ここでは、このようなＬ字状の動きによりファンユニットをファンケースに収納し、および必要に応じて取り外すように構成したため、図３４等に示すように狭いスペースしかない場合であっても、ファンケースにファンユニットを収納させ、あるいはファンケースからファンユニットを取り外すことができる。
【００７４】
尚、ここでは、ファン組立体について２つの実施形態を示したが、本発明のファン組立体は、これら２つの実施形態に限られるものではなく、ファンユニットがカセット的に着脱可能な構成を有することを利用した様々な形態を採用することができる。
【図面の簡単な説明】
【００７５】
【図１】本発明の一実施形態を構成するためのファンユニットの分解斜視図である。
【図２】ファンユニットの組立図である。
【図３】ファン収容ボックス本体とファン収容ボックス蓋体を組み立てたファン収容ボックスの斜視図である。
【図４】ファン収容ボックス本体とファン収容ボックス蓋体を組み立てたファン収容ボックスの、別の角度から見た斜視図である。
【図５】ファン収容ボックスの正面図（Ａ）、平面図（Ｂ）、左側面図（Ｃ）、右側面図（Ｄ）、および底面図（Ｅ）である。
【図６】ファン収容ボックス本体の斜視図である。
【図７】ファン収容ボックス本体の４面図である。
【図８】図７（Ｃ）に示す円Ｒ１の内部の拡大図である。
【図９】図７（Ｂ）に示す矢印Ａ−Ａに沿って断面したときの、図８に相当する部分の拡大図である。
【図１０】ファン収容ボックス蓋体の斜視図である。
【図１１】ファン収容ボックス蓋体の４面図（（Ａ）は正面図、（Ｂ）は平面図、（Ｃ）は左側面図、（Ｄ）は右側面図）である。
【図１２】図１１（Ｄ）の円Ｒ２内の拡大図である。
【図１３】図１１（Ａ）の円Ｒ３内の拡大図である。
【図１４】本発明のファン組立体の第１実施形態の斜視図である。
【図１５】本発明のファン組立体の第１実施形態の、異なる方向から見た斜視図である。
【図１６】第１実施形態の分解斜視図である。
【図１７】第１実施形態を構成するファンケースの平面図である。
【図１８】図１７に示す矢印Ｂ−Ｂに沿う断面図である。
【図１９】図１８に示す楕円Ｒ４内の拡大図である。
【図２０】ファンケースを後方斜めから見た斜視図である。
【図２１】ファンケースの背面図である。
【図２２】本発明のファン組立体の第２実施形態の組立斜視図である。
【図２３】本発明のファン組立体の第２実施形態の、異なる方向から見た組立斜視図である。
【図２４】第２実施形態のファン組立体の分解斜視図である。
【図２５】第２実施形態のファン組立体を構成する第２のファンケースを図２４に示す矢印Ｃ方向から見たときの、その第２のファンケースの一部を示す斜視図である。
【図２６】第２のファンケースの挿入方向前方の２つの区画にファンユニットを収納した状態を示す斜視図である。
【図２７】第２のファンケースの挿入方向前方の２つの区画にファンユニットを収納する動作を行なっている途中の状態を示す正面図である。
【図２８】第２のファンケースの挿入方向前方の２つの区画にファンユニットが完全に収納された状態を示す正面図である。
【図２９】図２２〜図２５に示すファン組立体が組み込まれた装置の、ファン組立体がその装置内に完全に収納された状態の斜視図である。
【図３０】図２２〜図２５に示すファン組立体が組み込まれた装置の、ファン組立体がその装置内に完全に収納された状態の正面図である。
【図３１】図２２〜図２５に示すファン組立体が組み込まれた装置の、ファン組立体がその装置内に完全に収納された状態の平面図である。
【図３２】図２２〜図２５に示すファン組立体が組み込まれた装置の、ファン組立体がその装置内に完全に収納された状態の側面図である。
【図３３】装置に組み込まれたファン組立体を構成する第２のファンケース２００Ｂがその装置から抜き出された状態を示す斜視図である。
【図３４】装置に組み込まれたファン組立体を構成する第２のファンケース２００Ｂがその装置から抜き出された状態を示す正面図である。
【図３５】装置に組み込まれたファン組立体を構成する第２のファンケース２００Ｂがその装置から抜き出された状態を示す平面図である。
【図３６】装置に組み込まれたファン組立体を構成する第２のファンケース２００Ｂがその装置から抜き出された状態を示す側面図である。
【図３７】従来のファンユニットの一例を示す斜視図である。
【図３８】従来のファンユニットの一例を示す、別な方向から見た斜視図である。
【図３９】従来のファンユニットの一例を示す分解斜視図である。
【符号の説明】
【００７６】
１００    ファンユニット
１１０    ファン収容ボックス本体
１１１    開口
１１２    係合孔
１１３    係合凹部
１１４    係合孔
１１５    開口
１１６    フィンガガード
１１７    係止突起
１１８    スリット状の保持部
１１９    操作レバー
１２０    プリント板
１２１    把っ手
１２２，１２３    ガイド溝
１２２ａ，１２３ａ    第１の溝部分
１２２ｂ，１２３ｂ    第２の溝部分
１２４，１２１５    側面
１２５ａ，１２５ｂ    辺
１３０    プリント板
１３１    カードエッジ
１３２ａ，１３２ｂ    辺
１５０    ファン
１５１    基体
１５２    羽根
１５３    取付孔
１７０    ファン収容ボックス蓋体
１７１，１７２    係合突起
１７４    係合爪
１７５    係止突起
１７６    保持部
２００，２００Ａ，２００Ｂ，２００Ｃ    ファンケース
２０１，２０２    開口
２０３    抜け防止用係合突起
２０４    嵌合用開口
２０５    スリット
２０６    アーム係合孔
２０７    係止突起
２１１，２１２，２１３，２１４    区画
３００    コネクタ
３１０    本体部
３１１    開口
３２０    第１のアーム
３２１    係合突起
３３０    第２のアーム
【図１】
2006207592.tif 000003
【図２】
2006207592.tif 000004
【図３】
2006207592.tif 000005
【図４】
2006207592.tif 000006
【図５】
2006207592.tif 000007
【図６】
2006207592.tif 000008
【図７】
2006207592.tif 000009
【図８】
2006207592.tif 000010
【図９】
2006207592.tif 000011
【図１０】
2006207592.tif 000012
【図１１】
2006207592.tif 000013
【図１２】
2006207592.tif 000014
【図１３】
2006207592.tif 000015
【図１４】
2006207592.tif 000016
【図１５】
2006207592.tif 000017
【図１６】
2006207592.tif 000018
【図１７】
2006207592.tif 000019
【図１８】
2006207592.tif 000020
【図１９】
2006207592.tif 000021
【図２０】
2006207592.tif 000022
【図２１】
2006207592.tif 000023
【図２２】
2006207592.tif 000024
【図２３】
2006207592.tif 000025
【図２４】
2006207592.tif 000026
【図２５】
2006207592.tif 000027
【図２６】
2006207592.tif 000028
【図２７】
2006207592.tif 000029
【図２８】
2006207592.tif 000030
【図２９】
2006207592.tif 000031
【図３０】
2006207592.tif 000032
【図３１】
2006207592.tif 000033
【図３２】
2006207592.tif 000034
【図３３】
2006207592.tif 000035
【図３４】
2006207592.tif 000036
【図３５】
2006207592.tif 000037
【図３６】
2006207592.tif 000038
【図３７】
2006207592.tif 000039
【図３８】
2006207592.tif 000040
【図３９】
2006207592.tif 000041